(57)【要約】      （修正有）【課題】既存の内照式誘導サインに容易に適用することができ、また点検やメンテナンスを容易に行うことができる内照式誘導サインを提供する。【解決手段】非常時に外部電源の供給が停止し、周囲が暗闇になった場合でも非常用光源１１が点灯することで利用者の誘導を図ることができるが、非常用光源１１、制御部１２及び蓄電手段１３が非常用照明ユニット１となされ、その非常用照明ユニット１が外部電源Ｃ１に対して着脱自在となされていることで、非常用照明ユニット１を既存の内照式誘導サイン１０の外部電源Ｃ１に取り付けることで容易に適用することができ、また非常用照明ユニット１をユニットごと取り外して点検やメンテナンスを容易に行うことができる。【選択図】図１
2006302646.tif 000002
【特許請求の範囲】
【請求項１】
外部電源により点灯する主光源と、前記主光源の点灯により情報を表示する透光性の表示部とを備え、更に蓄電手段、制御部及び非常用光源を含んでなる非常用照明ユニットを備え、該非常用照明ユニットは、前記制御部が外部電源の供給が停止されたことを感知した際に、前記蓄電手段の電力を前記非常用光源に供給するようにして前記非常用光源を点灯するようになされた内照式誘導サインであって、前記非常用照明ユニットが前記外部電源に着脱自在に取り付けられていることを特徴とする内照式誘導サイン。
【請求項２】
前記非常用照明ユニットは、前記表示部に対して前記主光源と同じ側に設けられ、前記非常用光源が前記表示部の主に出口表示付近を内照するようになされていることを特徴とする請求項１に記載の内照式誘導サイン。
【発明の詳細な説明】
【技術分野】
【０００１】
本発明は、非常時に周囲が暗闇になった場合でも非常用光源が点灯することで利用者の誘導を図ることができる内照式誘導サインに関するものである。
【背景技術】
【０００２】
非常時に周囲が暗闇になった場合に非常用光源が点灯する内照式サインとしては、常用点灯回路と、主電源の停止を検出する停電検出回路と、蓄電池と、非常点灯回路と、充電回路とを有してなる非常用照明器具において、蓄電池の電圧が一定値以上である場合には主電源からの充電を停止し、補充電手段のみにより蓄電池の充電をする非常用照明器具が開示されている。
【０００３】
【特許文献１】実願平２−７８９９４号のマイクロフィルム（実開平４−３６８００号）
【発明の開示】
【発明が解決しようとする課題】
【０００４】
しかしながら、特許文献１に記載のような従来の内照式誘導サインでは、上述の如く複雑な回路を備えたもので、また設置時に組み込むことを前提としており、既存の内照式誘導サインに後から適用するのは容易なものではなかった。また非常時に点灯するかの点検には別途点検用装置を必要とし、更には光源が一体に組み込まれていることで、交換や清掃等のメンテナンスを行うには手間がかかるものであった。
【０００５】
本発明は上記の如き課題に鑑みてなされたものであり、既存の内照式誘導サインに容易に適用することができ、また点検やメンテナンスを容易に行うことができる内照式誘導サインを提供せんとするものである。
【課題を解決するための手段】
【０００６】
上記目的を達成するため、本発明は以下のような構成としている。すなわち、本発明に係わる内照式誘導サインは、外部電源により点灯する主光源と、前記主光源の点灯により情報を表示する透光性の表示部とを備え、更に蓄電手段、制御部及び非常用光源を含んでなる非常用照明ユニットを備え、該非常用照明ユニットは、前記制御部が外部電源の供給が停止されたことを感知した際に、前記蓄電手段の電力を前記非常用光源に供給するようにして前記非常用光源を点灯するようになされた内照式誘導サインであって、前記非常用照明ユニットが前記外部電源に着脱自在に取り付けられていることを特徴とするものである。
【０００７】
本発明に係わる内照式誘導サインによれば、非常時に外部電源の供給が停止し、周囲が暗闇になった場合でも非常用光源が点灯することで利用者の誘導を図ることができるが、非常用光源、制御部及び蓄電手段が非常用照明ユニットとなされ、その非常用照明ユニットが外部電源に対して着脱自在となされていることで、非常用照明ユニットを既存の内照式誘導サインの外部電源に取り付けることで容易に適用することができ、また非常用照明ユニットをユニットごと取り外して点検やメンテナンスを容易に行うことができる。
【０００８】
また請求項１に記載の内照式誘導サインにおいて、前記非常用照明ユニットは、前記表示部に対して前記主光源と同じ側に設けられ、前記非常用光源が前記表示部の主に出口表示付近を内照するようになされていれば、非常時に外部電源の供給が停止し、周囲が暗闇になった場合に最も必要とされる出口表示を内照して表示することで、利用者への避難誘導と安心感の付与を図ることができ好ましい。
【発明の効果】
【０００９】
本発明に係わる内照式誘導サインによれば、非常時に外部電源の供給が停止し、周囲が暗闇になった場合でも非常用光源が点灯することで利用者の誘導を図ることができるが、非常用光源、制御部及び蓄電手段が非常用照明ユニットとなされ、その非常用照明ユニットが外部電源に対して着脱自在となされていることで、非常用照明ユニットを既存の内照式誘導サインの外部電源に取り付けることで容易に適用することができ、また非常用照明ユニットをユニットごと取り外して点検やメンテナンスを容易に行うことができる。
【発明を実施するための最良の形態】
【００１０】
本発明に係わる最良の実施の形態について、図面に基づき以下に具体的に説明する。
【００１１】
図１は、本発明に係わる内照式誘導サインの、実施の一形態を示す一部破面図である。内照式誘導サイン１０は地下鉄の駅構内に設置され、利用者を出口に誘導するために設けられているもので、枠体４に周囲を囲われて形成された筐体内に蛍光管である主光源３が設けられ、主光源３が点灯することで前面側に設けられた透光性の表示部２に主光源３から発せられた光が透過することで、表示部２の情報が発光により表示されるものである。主光源３に対しては、平常時はケーブルＣ１により外部電源が供給されて点灯が行われるようになされている。内照式誘導サイン１０は、天井面Ｔに埋設されたアンカーナットＡに支持材Ｓが取り付けられることで、天井面Ｔから下方に吊り下げられて取り付けられている。
【００１２】
表示部２に対し、主光源３と同じ背面側には、更に非常用照明ユニット１が設けられている。非常用照明ユニット１は、ＬＥＤである非常用光源１１と、外部電源のケーブルＣ１にコネクタＮにより接続されたケーブルＣ２により外部電源と接続された制御部１２と、キャパシタである蓄電手段１３とが備えられたもので、平常時は制御部１２から蓄電手段１３に外部電源からの電力が供給されて、蓄電手段１３が充電された状態となされている。
【００１３】
地震等の非常時に、外部電源の供給が停止した場合、外部電源の電圧低下を制御部１２が検知し、検知した際に蓄電手段１３から制御部１２を通じて電力が非常用光源１１に供給されることで、非常用光源１１が点灯し、非常用電源１１付近の表示部２が内照される。非常用光源１１は、蓄電手段１３が完全に放電するまで点灯させておいてもよく、タイマー手段を備えて１０分前後で消灯するようにしておいてもよい。
【００１４】
また非常用照明ユニット１は、非常時に点灯しなくなることの無いよう、定期的に点灯するかの点検が必要であり、また非常用光源１１の交換や塵埃の除去等のメンテナンスが必要なものであるが、非常用照明ユニット１がコネクタＮによって外部電源に着脱自在に取り付けられていることで、点灯の点検を行う際には外部電源を切ったり、他に点検用装置を設けたりする必要がなく、コネクタＮを外すことで容易に点検を行うことができる。またコネクタＮから取り外すことで、非常用照明ユニット１を作業のし易い場所に移動させて、容易にメンテナンスを行うこともできる。
【００１５】
図２は、図１に示した内照式誘導サイン１０の正面図である。非常時に外部電源の供給が停止した場合、非常用電源１１により表示部２の出口表示２１付近が内照される。かかる出口表示２１付近が内照されることで、非常時に外部電源の供給が停止し、駅構内の照明灯等も消灯して周囲が暗闇となった場合でも、出口表示２１を視認することができ、利用者の出口への誘導を図ると共に、出口が表示された方向にあるということを認識させて安心感を付与でき、パニックの発生等を未然に防止することにも繋がる。
【００１６】
図３は、上記実施形態の変形の一例を示す、側方からの断面図である。天井面Ｔから下方に設けられた支持材Ｓに、内照式誘導サイン１０の上面及び下面を形成する上下枠材４２が取り付けられ、上下枠材４２の前面及び背面の両面に周囲枠材４１がボルトＢ１を用いて取り付けられ、周囲枠材４１に表示部２Ａ及び２Ｂがそれぞれ周囲枠材４１にはめ込まれて取り付けられている。表示部２Ａ及び２Ｂの間には主光源３が設けられ、平常時に両面の表示部２Ａ及び２Ｂを内照するようになされていると共に、更に非常用光源１１を備えた非常用照明ユニット１が設けられ、非常時にも両面の表示部２Ａ及び２Ｂが内照されるようになされている。
【００１７】
図４は、表示部２の他の例を示す正面図である。出口表示２１を備えた表示部２は、（ａ）、（ｃ）及び（ｄ）に示すように左端に設けられたものや、（ｂ）に示すように中央付近に設けられたものもある。また横方向及び縦方向の幅についても様々なものがあり、出口表示２１を内照するために非常用照明を設けるのには一様の装置では適用が困難であった。かかる表示部２に対し、着脱が自在に行うことができる本発明に係わる非常用照明ユニット１を適用する利点は大きいものとなり得る。
【図面の簡単な説明】
【００１８】
【図１】本発明に係わる内照式誘導サインの、実施の一形態を示す一部破面図である。
【図２】図１に示した内照式誘導サインの正面図である。
【図３】本発明に係わる内照式誘導サインの、他の例を示す断面図である。
【図４】表示部の例を示す正面図である。
【符号の説明】
【００１９】
１    非常用照明ユニット
１１  非常用光源
１２  制御部
１３  蓄電手段
２    表示部
２１  出口表示
３    主光源
１０  内照式誘導サイン
【図１】
2006302646.tif 000003
【図２】
2006302646.tif 000004
【図３】
2006302646.tif 000005
【図４】
2006302646.tif 000006